(57)【要約】【課題】画像表示装置において、ユーザが多言語の中から所望の言語の種別を設定する際に、言語の種別を容易に設定する。【解決手段】ＴＶ受像機は、マイクに入力された音声に対して、言語判定処理を行い、この判定結果に基づき、各言語の優先度を優先度情報に格納する。そして、ユーザによって言語設定画面の表示が指示されると（Ｓ２１）、ＴＶ受像機は、優先度情報の内容に基づいて、優先度が高い言語の種別から順番に表示する言語リストを生成し（Ｓ２２）、生成した言語リストを含む言語設定画面をディスプレイに表示する（Ｓ２３）。言語リストには、設定可能な言語の種別の候補として優先度の高い言語の種別を上位に表示する。ユーザによって、言語リストの中から言語の種別が選択されると（Ｓ２４）、ＴＶ受像機は、選択された言語の種別を、設定言語に格納する（Ｓ２５）。【選択図】図５
2014006656.tif 000002
【特許請求の範囲】
【請求項１】
音声信号を検知するための音声検知手段と、
前記音声検知手段によって検知された音声信号に基づいて、該音声信号に対応する音声の言語の種別を判定する言語判定手段と、
使用する言語の種別を設定するための言語設定手段と、
前記言語判定手段による判定結果に基づいて、前記言語設定手段によって設定可能な言語の種別の候補を表示する言語表示手段とを備える画像表示装置。
【請求項２】
自装置を起動したときに、前記言語判定手段が前記音声信号に対応する音声の言語の種別を判定することを特徴とする請求項１に記載の画像表示装置。
【請求項３】
自装置の設定情報の内容を初期化する初期化手段をさらに備え、
前記初期化手段によって前記設定情報の内容が初期化されたときに、前記言語判定手段が前記音声信号に対応する音声の言語の種別を判定することを特徴とする請求項１に記載の画像表示装置。
【請求項４】
使用する言語を、前記言語判定手段によって判定された種別の言語に自動的に設定する自動設定手段をさらに備えることを特徴とする請求項２又は３に記載の画像表示装置。
【請求項５】
前記言語判定手段による判定結果に基づいて、各言語の種別にそれぞれ優先度を付与する優先度設定手段をさらに備えることを特徴とする請求項１乃至４のいずれか一項に記載の画像表示装置。
【請求項６】
前記言語表示手段は、前記優先度設定手段によって付与された優先度に基づいて、前記言語設定手段によって設定可能な言語の種別の候補を並び替えて表示することを特徴とする請求項５に記載の画像表示装置。
【発明の詳細な説明】
【技術分野】
【０００１】
本発明は、多言語に対応した画像表示装置に関する。
【背景技術】
【０００２】
近年、多言語に対応したテレビジョン（以下、ＴＶという）受像機が知られている。この種のＴＶ受像機では、初期設定時に、ユーザが決まった順番（例えば、アルファベット順）に並べられた言語リストの中から所望の言語の種別を設定する必要がある。ユーザによって言語の種別が設定されると、ＴＶ受像機は、設定された言語の種別に従ってＯＳＤ表示等を行う。言語の種別として「英語」が設定された場合、このＴＶ受像機は、「英語」を用いてＯＳＤ表示等を行う。
【先行技術文献】
【特許文献】
【０００３】
【特許文献１】特開２０１１−２１５５９１号公報
【特許文献２】特開２００５−３１１５０号公報
【特許文献３】特開２００４−５３８２５号公報
【発明の概要】
【発明が解決しようとする課題】
【０００４】
図１３（ａ）（ｂ）は、従来のＴＶ受像機における言語設定画面の一例を示す。図１３（ａ）は、言語設定画面を表示した直後の状態（初期状態）を示し、図１３（ｂ）は、ユーザがカーソルＣを「日本語」の位置に移動させた状態を示す。ユーザは、言語リストＬ１０１の中から「日本語」を設定したい場合、図１３（ａ）に示すように、言語リストＬ１０１の一番上の「Dansk」の位置にあるカーソルＣを下に移動させる。そして、図１３（ｂ）に示すように、カーソルＣを「日本語」の位置に合わせた後、リモコン装置の決定ボタンを押下することにより「日本語」を選択する。これにより、ＴＶ受像機は、言語の種別として「日本語」を設定する。このように、ユーザは、複数の言語が表示された言語リストＬ１０１の中から所望の言語の種別までカーソルＣを移動させて、所望の言語の種別を設定しなければならないため、操作が煩雑である。
【０００５】
上記問題に対して、引用文献１には、言語体系を取得し、取得した言語が英語や日本語の場合、構成要素の位置情報をそのまま用いて、表示装置の画面に配置し、一方で、言語体系がアラビア語であれば、同じ位置情報のＸ座標を計算し直して、構成要素の配置が、英語の場合と左右で反対側の位置となるように配置して、インターフェースの環境に応じた構成要素の配置ができる表示位置設定装置が開示されている。しかしながら、この表示位置設定装置は、言語リストの中から所望の言語の種別を選択するものではないため、上記問題を解決できない。
【０００６】
また、引用文献２には、利用者の言語能力に関する情報を取得し、取得した言語能力に関する情報に基づいて、音声認識の対象とする言語を複数の言語から選択し、言語能力に関する情報と認識対象の言語とに基づいて、音声認識の動作条件を設定する音声処理装置及び方法が開示されている。しかしながら、この音声処理装置及び方法は、言語設定を行うものではないため、上記問題を解決できない。
【０００７】
また、引用文献３には、利用者に対して所定の呼びかけ動作を行い、どの言語に対して返答が返ってきたか否かに基づいて、利用者が話している言語が何語であるかを識別する言語識別装置、言語識別方法及び言語識別プログラムが開示されている。しかしながら、この言語識別装置、言語識別方法及び言語識別プログラムでは、ユーザが、所定の呼びかけ動作に対して返答を行う必要があるため、ユーザにとって煩雑である。また、この言語識別装置、言語識別方法及び言語識別プログラムは、言語設定を行うものではないため、上記問題を解決できない。
【０００８】
本発明は、上述した問題点を解決するためになされたものであり、ユーザが多言語の中から所望の言語の種別を設定する際に、言語の種別の設定を容易に行うことが可能な画像表示装置を提供することを目的とする。
【課題を解決するための手段】
【０００９】
上記目的を達成するために請求項１の発明は、音声信号を検知するための音声検知手段と、前記音声検知手段によって検知された音声信号に基づいて、該音声信号に対応する音声の言語の種別を判定する言語判定手段と、使用する言語の種別を設定するための言語設定手段と、前記言語判定手段による判定結果に基づいて、前記言語設定手段によって設定可能な言語の種別の候補を表示する言語表示手段とを備える画像表示装置である。
【００１０】
また、請求項２の発明は、請求項１に記載の画像表示装置において、自装置を起動したときに、前記言語判定手段が前記音声信号に対応する音声の言語の種別を判定するものである。
【００１１】
また、請求項３の発明は、請求項１に記載の画像表示装置において、自装置の設定情報の内容を初期化する初期化手段をさらに備え、前記初期化手段によって前記設定情報の内容が初期化されたときに、前記言語判定手段が前記音声信号に対応する音声の言語の種別を判定するものである。
【００１２】
また、請求項４の発明は、請求項２又は３に記載の画像表示装置において、使用する言語を、前記言語判定手段によって判定された種別の言語に自動的に設定する自動設定手段をさらに備えるものである。
【００１３】
また、請求項５の発明は、請求項１乃至４のいずれか一項に記載の画像表示装置において、前記言語判定手段による判定結果に基づいて、各言語の種別にそれぞれ優先度を付与する優先度設定手段をさらに備えるものである。
【００１４】
また、請求項６の発明は、請求項５に記載の画像表示装置において、前記言語表示手段は、前記優先度設定手段によって付与された優先度に基づいて、前記言語設定手段によって設定可能な言語の種別の候補を並び替えて表示するものである。
【発明の効果】
【００１５】
請求項１乃至３の発明によれば、音声検知手段によって検知された音声信号に基づいて、言語判定手段が、この音声信号に対応する音声の言語の種別を判定し、この判定結果に基づいて、言語表示手段が設定可能な言語の種別の候補を表示する。そのため、例えば、多数の言語の種別が含まれる言語リストにおいて、言語判定手段による判定結果に基づき、入力された音声の言語の種別である可能性が高い言語の種別を、この言語リストの上位に候補として表示させることができる。その結果、ユーザは、言語リストの上位に候補として表示された言語の種別を選択するだけで、所望の言語の種別を容易に設定できる。従って、ユーザは、少ない操作で所望の言語の種別を設定でき、所望の言語の種別を設定する際の手間を低減できる。
【００１６】
また、請求項４の発明によれば、音声検知手段によって検知された音声信号に基づいて、言語判定手段が、この音声信号に対応する音声の言語の種別を判定し、自動設定手段が、使用する言語を、判定された種別の言語に自動的に設定する。従って、ユーザは、複数の言語の種別の中から所望の言語の種別を探し出して手動で設定する必要がなくなるため、言語の種別の設定を容易に行うことができる。
【図面の簡単な説明】
【００１７】
【図１】本発明の第１の実施形態に係るＴＶ受像機とリモコン装置の斜視図。
【図２】上記ＴＶ受像機の内部構成を示すブロック図。
【図３】上記ＴＶ受像機における優先度設定処理の手順の一例を示すフローチャート。
【図４】上記ＴＶ受像機における言語判定処理の手順を示すフローチャート。
【図５】上記ＴＶ受像機における言語設定処理の手順を示すフローチャート。
【図６】上記ＴＶ受像機に表示される言語設定画面の一例を示す説明図。
【図７】上記ＴＶ受像機に表示される言語設定画面の別の一例を示す説明図。
【図８】上記ＴＶ受像機における優先度設定処理の手順の別の例を示すフローチャート。
【図９】上記ＴＶ受像機における優先度設定処理の手順の別の例を示すフローチャート。
【図１０】本発明の第２の実施形態に係るＴＶ受像機の内部構成を示すブロック図。
【図１１】上記ＴＶ受像機における言語判定処理の手順の一例を示すフローチャート。
【図１２】上記ＴＶ受像機の使用例を示す説明図。
【図１３】（ａ）（ｂ）は、従来のＴＶ受像機における言語設定画面を示す説明図。
【発明を実施するための形態】
【００１８】
以下、本発明の第１の実施形態に係るテレビジョン受像機について、図１及び図２を参照して説明する。図１は、テレビジョン（以下、ＴＶ）受像機（画像表示装置）１と、このＴＶ受像機１を操作するためのリモコン装置（言語設定手段）４との外観を示し、図２は、ＴＶ受像機１の電気的ブロック構成を示す。
【００１９】
ＴＶ受像機１は、図２に示すように、アンテナ１１に接続され、デジタル放送信号を受信するチューナ部１２と、デコーダ部１３と、映像を表示するディスプレイ１４と、音声を出力するスピーカ１５と、マイク１６とを備える。また、ＴＶ受像機１は、リモコン信号受信部１７と、メモリ１８と、制御部１０と、ＴＶ受像機１の各部１０〜１８に電力を供給する電源部２１とをさらに備える。
【００２０】
リモコン装置４は、ユーザによって操作される複数の操作ボタンを有し、ユーザによって操作された操作ボタンに応じたリモコン信号をＴＶ受像機１に送信するものである。リモコン装置４の操作ボタンは、ＴＶ受像機１の電源オン／オフを指示するための電源ボタンや、ディスプレイ１４に表示されるカーソルを移動させるための上下左右ボタンや、入力を決定するための決定ボタン等である。ユーザは、リモコン装置４を操作することにより、言語の種別の設定や、言語設定画面の表示等の各種の指示操作を行うことができる。
【００２１】
チューナ部１２は、アンテナ１１を介して、放送局から配信される各チャンネルのデジタル放送信号を受信する。デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２２】
映像デコード回路は、映像信号を含むＴＳパケットに対して復号化処理を行い、映像信号を抽出し、抽出した映像信号を制御部１０に出力する。音声デコード回路は、音声信号を含むＴＳパケットに対して復号化処理を行い、音声信号を抽出し、抽出した音声信号を制御部１０に出力する。
【００２３】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御部１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２４】
ディスプレイ１４は、チューナ部１２によって受信されたＴＶ番組の映像を表示する。スピーカ１５は、チューナ部１２によって受信されたＴＶ番組の音声を出力する。マイク１６には、ＴＶ受像機１の周辺の音声が入力される。マイク１６は、入力された音声に基づく音声信号を制御部１０に出力する。
【００２５】
リモコン信号受信部１７は、リモコン装置４から受信したリモコン信号である赤外線信号を電気信号に変換して制御部１０に転送する。リモコン装置４から送信されるリモコン信号は、ユーザによって操作された操作ボタンに対応するリモコン信号である。
【００２６】
メモリ１８は、制御部１０を動作させるためのプログラム１８ａと、設定言語１８ｂと、多言語辞書データ１８ｃと、優先度情報１８ｄと、各種設定情報１８ｅ等を記憶している。
【００２７】
設定言語１８ｂには、自装置１が文字情報等を出力する際に使用する言語の種別が格納される。言語の種別は、例えば、「日本語」や「英語」である。設定言語１８ｂに格納される内容は消去可能である。多言語辞書データ１８ｃは、英語、ドイツ語、フランス語、イタリア語、及び日本語を含む各言語の音声についての特徴量ベクトルの時系列のデータである。
【００２８】
優先度情報１８ｄには、多言語辞書データ１８ｃに含まれた各言語に対する優先度が格納される。具体的には例えば、優先度情報１８ｄには、「日本語」の優先度１や、「Ｅｎｇｌｉｓｈ」の優先度２等の優先度が格納される。優先度情報１８ｄに格納される内容は消去可能である。
【００２９】
各種設定情報１８ｅには、ユーザによって設定された情報が格納される。具体的には例えば、各種設定情報１８ｅには、ディスプレイ１４の輝度やカラーの設定情報や、スピーカ１５から出力する音量等の情報が格納される。各種設定情報１８ｅに格納される内容は消去可能である。
【００３０】
制御部１０は、音声認識部（音声検知手段、言語判定手段）１０ａと、言語判定部（言語判定手段）１０ｂと、優先度設定部１０ｃと、言語設定画面表示部（言語表示手段）１０ｄと、設定初期化部（初期化手段）１０ｅと、自動言語設定部（自動設定手段）１０ｆとを有し、ＴＶ受像機１の各部を制御する。
【００３１】
音声認識部１０ａは、マイク１６から入力される音声信号を検知し、デジタル音声信号に変換して、特徴量ベクトルの時系列のデータを抽出するものである。言語判定部１０ｂは、多言語辞書データ１８ｃの内容と、音声認識部１０ａによって抽出された特徴量ベクトルの時系列のデータとに基づいて、言語を判定するものである。
【００３２】
優先度設定部１０ｃは、言語判定部１０ｂの判定結果に基づいて、各言語の優先度を優先度情報１８ｄに格納する。言語設定画面表示部１０ｄは、設定言語１８ｂに格納する言語の種別を設定するための言語設定画面をディスプレイ１４に表示する。言語設定画面には、言語判定部１０ｂの判定結果に基づいて、設定可能（設定言語１８ｂとして格納可能）な言語の種別の候補を含む複数の言語の種別の言語リストが表示され、ユーザは、この言語リストの中から所望の言語の種別を選択する。
【００３３】
設定初期化部１０ｅは、ユーザによる指示操作に応じて、メモリ１８の設定言語１８ｂの内容と、優先度情報１８ｄの内容と、各種設定情報１８ｅの内容を消去（初期化）する。自動言語設定部１０ｆは、言語判定部１０ｂによって判定された言語種別のうち、最も信頼度の高い言語の種別を自動的に設定言語１８ｂに格納する。
【００３４】
次に、ＴＶ受像機１における各言語の優先度設定処理について、図３に示すフローチャートを参照して説明する。
【００３５】
まず、ＴＶ受像機１の購入直後に、ユーザがリモコン装置４を操作することによってＴＶ受像機１の電源オンが指示されると（Ｓ１）、電源部２１がＴＶ受像機１の各部に電力を供給して（Ｓ２）、ＴＶ受像機１の電源が初めてオンになる（ＴＶ受像機１が起動する）（Ｓ３）。そして、制御部１０は、マイク１６に入力された音声を取得する（Ｓ４）。
【００３６】
そして、制御部１０は、音声認識部１０ａと言語判定部１０ｂを用いて、取得した音声に対して、言語判定処理（Ｓ５）を行う。この言語判定処理は、マイク１６に入力された音声に基づいて、各言語の信頼度（各言語である可能性の高さ）を判定する処理である。この信頼度は、マイク１６に入力された音声に対する言語の認識結果に対して、その認識結果がどの程度信頼できるものであるかを示す値である。例えば、上記Ｓ５の言語判定処理によって、「日本語」の信頼度が９０％、「英語」の信頼度が５０％、「ドイツ語」の信頼度が２０％のように、各言語の判定結果が出力される。
【００３７】
そして、制御部１０は、上記Ｓ５の処理による判定結果に基づき、優先度設定部１０ｃを用いて、各言語の優先度を優先度情報１８ｄに格納する（Ｓ６）。具体的には例えば、「日本語」の信頼度が９０％、「英語」の信頼度が５０％、「ドイツ語」の信頼度が２０％である場合、信頼度の高い言語の種別から順番に、「日本語」を優先度１に、「英語」を優先度２に、「ドイツ語」の優先度を３に設定して優先度情報１８ｄに格納する。ここでは、優先度の数値が小さいほど、優先度が高いものとする。なお、ここでは、ＴＶ受像機１の電源が初めてオンしたときに、本処理を行う例を示したが、本処理は、ＴＶ受像機１を起動する度に行なってもよい。
【００３８】
次に、上記Ｓ５の言語判定処理の詳細について、図４に示すフローチャートを参照して説明する。
【００３９】
制御部１０は、音声認識部１０ａを用いて、マイク１６から入力される音声信号を、デジタル音声信号に変換し（Ｓ１１）、このデジタル音声信号をさらに特徴量ベクトルの時系列のデータに変換する（Ｓ１２）。
【００４０】
そして、制御部１０は、多言語辞書データ１８ｃを取得した後（Ｓ１３）、言語判定部１０ｂを用いて、多言語辞書データ１８ｃの各言語のデータと、上記Ｓ１２の特徴量ベクトルの時系列のデータとを照合する（Ｓ１４）。そして、制御部１０は、言語判定部１０ｂを用いて、この照合結果に基づいて、各言語の判定結果を出力する（Ｓ１５）。ここで出力される判定結果は、例えば、「日本語」の信頼度が９０％、「英語」の信頼度が５０％など、上記Ｓ１４の照合結果に基づく信頼度の情報である。
【００４１】
次に、ＴＶ受像機１における言語設定処理の一例について、図５に示すフローチャートを参照して説明する。
【００４２】
まず、ユーザがリモコン装置４を操作することによって言語設定画面の表示が指示されると（Ｓ２１）、制御部１０は、言語設定画面表示部１０ｄを用いて、優先度情報１８ｄの内容に基づいて、優先度が１である言語の種別から優先度の値の昇順に各言語の種別を並べた言語リストを生成し（Ｓ２２）、生成した言語リストを含む言語設定画面をディスプレイ１４に表示する（Ｓ２３）。ここでは、優先度の数値が小さいほど優先度が高いものとする。すなわち、言語リストには、設定可能な言語の種別の候補として優先度の高い言語の種別を並び替えて上位に表示する。
【００４３】
そして、ユーザによって、言語リストの中から所望の言語の種別が選択されると（Ｓ２４）、制御部１０は、選択された言語の種別を、設定言語１８ｂに格納する（Ｓ２５）。
【００４４】
図６は、上記Ｓ２３でディスプレイ１４に表示される言語設定画面の一例を示す。符号Ｌ１は、言語リストを示す。図６に示す言語リストは、「日本語」、「English」、「Dansk」、「Deutsch」、「Eesti」の順に、設定可能な言語の種別の候補として優先度が高い場合を示す。すなわち、この言語リストＬ１では、一番優先度の高い「日本語」が言語リストＬ１の一番上に表示されている。ユーザは、「日本語」を選択したい場合、カーソルＣを移動させることなく、リモコン装置４の決定ボタンを押下するだけで（上記Ｓ２４に相当）、言語の種別として「日本語」を設定することができる（上記Ｓ２５に相当）。
【００４５】
図７は、上記Ｓ２３でディスプレイ１４に表示される言語設定画面の別の例を示す。符号Ｌ２は、言語リストを示す。図７に示す言語リストは、「Italiano」、「Espa&ntilde;ol」、「Fran&ccedil;ais」の順に、設定可能な言語の種別の候補として優先度が高い場合を示す。すなわち、この言語リストＬ２では、一番優先度の高い「Italiano」が言語リストＬ２の一番上に表示されている。ユーザは、「Italiano」を選択したい場合、カーソルＣを移動させることなく、リモコン装置４の決定ボタンを押下すだけで（上記Ｓ２４に相当）、言語の種別として「Italiano」を設定することができる（上記Ｓ２５に相当）。
【００４６】
次に、上記優先度設定処理の別の例について、図８に示すフローチャートを参照して説明する。まず、ユーザがリモコン装置４を操作することによってオール設定リセット（初期化）を指示すると（Ｓ３１）、制御部１０は、設定初期化部１０ｅを用いて、メモリ１８の設定言語１８ｂの内容と、優先度情報１８ｄの内容と、各種設定情報１８ｅの内容とを消去する（Ｓ３２）。
【００４７】
そして、制御部１０は、音声認識部１０ａを用いて、マイク１６に入力された音声を取得し（Ｓ３３）、取得した音声に基づいて、言語判定処理（Ｓ３４）を行う。そして、制御部１０は、この判定結果に基づき、優先度設定部１０ｃを用いて、各言語の優先度を優先度情報１８ｄに格納する（Ｓ３５）。なお、Ｓ３４の言語判定処理は、上記図４の処理と同様であるため、その説明を省略する。
【００４８】
次に、上記優先度設定処理の別の例について、図９に示すフローチャートを参照して説明する。本処理のＳ４１〜Ｓ４５は、上記図３に示した言語設定処理のＳ１〜Ｓ５と同様であるため説明を省略する。
【００４９】
制御部１０は、Ｓ４５による言語判定処理の後、自動言語設定部１０ｆを用いて、言語判定処理の判定結果に基づいて、設定可能な言語の種別の候補として優先度の最も高いと判定された言語の種別を、設定言語１８ｂに格納する（Ｓ４６）。すなわち、制御部１０は、自動言語設定部１０ｆを用いて、言語の種別を自動的に設定する。
【００５０】
上述したように、本実施形態に係るＴＶ受像機１によれば、マイク１６に入力された音声に基づいて、制御部１０が、音声認識部１０ａ及び言語判定部１０ｂを用いて、入力された音声信号に対応する音声の言語の種別を判定する。そのため、例えば、多数の言語の種別が含まれる言語リストにおいて、判定結果に基づき、言語の種別の候補として信頼度の高い（各言語である可能性が高い）言語の種別を、この言語リストの上位に表示させることができる。その結果、ユーザは、言語リストの上位に表示された言語の種別を選択するだけで、所望の言語の種別を容易に設定できる。従って、ユーザは、少ない操作で所望の言語の種別を設定できるため、所望の言語の種別を設定する際の手間を低減できる。
【００５１】
また、本ＴＶ受像機１では、上記図３に示したように、ＴＶ受像機１の購入直後にユーザが電源を初めてオンしたときに、マイク１６に入力された音声に基づいて、各言語の優先度が優先度情報１８ｄに格納される。そのため、ユーザが、言語設定画面を表示させると、この言語設定画面には、優先度情報１８ｄの内容に基づく言語リストが表示される。従って、ユーザは、ＴＶ受像機１の購入直後に初めて言語設定画面を表示した場合であっても、言語リストの上位に表示された言語の種別を選択するだけで、所望の言語の種別を容易に設定できるので、少ない操作で所望の言語の種別を設定でき、所望の言語の種別を設定する際の手間を低減できる。また、ＴＶ受像機１を起動する度に、上記図３に示したように処理を行なってもよい。
【００５２】
また、本ＴＶ受像機１では、上記図８に示したように、ユーザがオール設定リセット（初期化）を指示ときに、マイク１６に入力された音声に基づいて、各言語の優先度が優先度情報１８ｄに格納される。そのため、ユーザは、オール設定リセットした後に、言語設定画面を表示させると、この言語設定画面には、各言語の優先度が格納された優先度情報１８ｄの内容に基づく言語リストが表示される。従って、ユーザは、オール設定リセット後に、言語設定画面を表示した場合であっても、言語リストの上位に表示された言語の種別を選択するだけで、所望の言語の種別を容易に設定できるので、少ない操作で所望の言語の種別を設定でき、所望の言語の種別を設定する際の手間を低減できる。
【００５３】
また、本ＴＶ受像機１では、上記図９に示したように、マイク１６に入力された音声に基づいて、制御部１０が、音声認識部１０ａ及び言語判定部１０ｂを用いて、入力された音声の言語の種別を判定し、言語の種別の候補として最も優先度の高い言語の種別を自動的に設定言語１８ｂに格納する。従って、ユーザは、複数の言語の種別の中から所望の言語の種別を探し出して手動で設定する必要がなくなるため、言語の種別の設定を容易に行うことができる。
【００５４】
次に、本発明の第２の実施形態に係るテレビジョン受像機について、図１０を参照して説明する。図１０は、本実施形態に係るＴＶ受像機１の電気的ブロック構成を示す。本実施形態に係るＴＶ受像機１は、インターネット接続部１９をさらに備えていること以外は、第１の実施形態に係るＴＶ受像機１と同様の構成である。本実施形態に係るＴＶ受像機１では、第１の実施形態と同じ構成を同じ符号で示し、その説明を省略する。
【００５５】
制御部１０は、インターネット接続部１９を用いて、インターネット上のサーバから多言語辞書データ１８ｃを受信して、メモリ１８内の多言語辞書データ１８ｃの内容を、インターネットから受信した多言語辞書データ１８ｃの内容に更新可能である。
【００５６】
ＴＶ受像機１における優先度設定処理について、図１１に示すフローチャートを参照して説明する。ここでは、ＴＶ受像機１は、インターネット接続部１９を用いてインターネットに接続可能であるものとする。
【００５７】
まず、ユーザがリモコン装置４を操作することによってＴＶ受像機１の電源オンを指示すると（Ｓ５１）、電源部２１がＴＶ受像機１の各部に電力を供給して（Ｓ５２）、ＴＶ受像機１の電源が初めてオンになる（ＴＶ受像機１が起動する）（Ｓ５３）。そして、制御部１０は、マイク１６に入力された音声を取得する（Ｓ５４）。
【００５８】
そして、制御部１０は、インターネット接続部１９を用いて、インターネット上から最新の多言語辞書データ１８ｃを受信する（Ｓ５５）。そして、制御部１０は、上記Ｓ５４で取得した音声に対して、Ｓ５５で受信した最新の多言語辞書データ１８ｃを用いて、言語判定処理（Ｓ５６）を行う。この言語判定処理は、上記図３のＳ５に示した処理と同様であるため、その説明を省略する。制御部１０は、上記Ｓ５６の処理による判定結果に基づき、優先度設定部１０ｃを用いて、各言語の優先度を優先度情報１８ｄに格納する（Ｓ５７）。なお、ここでは、ＴＶ受像機１の電源が初めてオンしたときに、本処理を行う例を示したが、本処理は、ＴＶ受像機１を起動する度に行なってもよい。
【００５９】
このように、本ＴＶ受像機１によれば、インターネット接続部１９を用いて、最新の多言語辞書データ１８ｃを受信した後に、言語判定処理を行うことができるため、新しい言語に対しても優先度を設定することができる。また、本ＴＶ受像機１によれば、最新の多言語辞書データ１８ｃを用いて、言語判定処理を行うことができるため、より精度の高い言語の認識と言語判定処理とを行うことができる。
【００６０】
次に、ＴＶ受像機１の使用例について、図１２を参照して説明する。図１２は、チェックイン検出器４０に接続されたＴＶ受像機１の使用状況を示す。ＴＶ受像機１とチェックイン検出器４０とは、ホテルの客室等に設置されているものとする。ＬＡＮケーブル５１の一端は、ＴＶ受像機１のインターネット接続部１９に接続されている。ＬＡＮケーブル５１の他端は、チェックイン検出器４０に接続されている。
【００６１】
宿泊客がチェックインすると、チェックイン検出器４０がＴＶ受像機１に対して、設定の初期化を指示する信号（以下、初期化指示信号という）を送信する。ＴＶ受像機１は、初期化指示信号を受信すると、マイク１６から入力される宿泊客の声（音声）に基づいて、上記図８に示したＳ３２〜Ｓ３４の処理を実行し、各言語の優先度を優先度情報１８ｄに格納する。
【００６２】
このように、ＴＶ受像機１とチェックイン検出器４０とを接続した場合、宿泊客のチェックインの度に、ＴＶ受像機１の優先度情報１８ｄの内容を更新することができるため、宿泊客は、ＴＶ受像機１に対して、初期化を指示する操作を行う必要がない。従って、宿泊客の操作の手間を低減できる。
【００６３】
なお、本発明は、上記各実施形態の構成に限られず、発明の趣旨を変更しない範囲で種々の変形が可能である。例えば、上記各実施形態において、請求項に示す画像表示装置がＴＶ受像機である例を示したが、これに限られず、音声入力が可能であり、言語の種別を判定可能な画像表示装置であればよい。
【００６４】
また、上記各実施形態のＴＶ受像機における優先度設定処理は、バックグラウンドで実行されるものであってもよい。その場合、ユーザは、優先度設定処理の終了を待つ必要がないので、ＴＶ受像機に対して他の動作を操作指示することができる。
【符号の説明】
【００６５】
１  ＴＶ受像機（画像表示装置）
４  リモコン装置（言語設定手段）
１０ａ  音声認識部（音声検知手段、言語判定手段）
１０ｂ  言語判定部（言語判定手段）
１０ｄ  言語設定画面表示部（言語表示手段）
１０ｅ  設定初期化部（初期化手段）
１０ｆ  自動言語設定部（自動設定手段）
【図１】
2014006656.tif 000003
【図２】
2014006656.tif 000004
【図３】
2014006656.tif 000005
【図４】
2014006656.tif 000006
【図５】
2014006656.tif 000007
【図６】
2014006656.tif 000008
【図７】
2014006656.tif 000009
【図８】
2014006656.tif 000010
【図９】
2014006656.tif 000011
【図１０】
2014006656.tif 000012
【図１１】
2014006656.tif 000013
【図１２】
2014006656.tif 000014
【図１３】
2014006656.tif 000015